(57)【要約】【課題】クリップを使って衣服等のポケットに取り付けて持ち運ぶことが可能であり、しかもポーチ等へ収納する際にクリップが邪魔になることがなく、携帯性と収納性に優れた小型電気機器を提供する。【解決手段】本発明においては、小型電気機器を衣服のポケット等に装着するためのクリップ体２０を、キャップ１１に対して着脱可能に構成した。これによれば、小型電気機器を衣服のポケット等に入れて持ち運ぶ際には、キャップ１１に対してクリップ体２０を装着することで、小型電気機器をポケット等へ掛止することが可能となる。また、小型電気機器をポーチ等に収納する場合には、出っ張るクリップ体２０をキャップ１１から取り外して、換言すればクリップ体２０をキャップ１１から分離することにより、小型電気機器の外形寸法を小さくすることができるので、小型電気機器を嵩張ることなくポーチ等の内部に収容することが可能となる。【選択図】図１
2015047338.tif 000002
【特許請求の範囲】
【請求項１】
機能部（２）を有する本体部（１）に対して、該機能部（２）を保護するためのキャップ（１１）が着脱可能に構成されている小型電気機器であって、
小型電気機器を衣服のポケット等に装着するためのクリップ体（２０）が、前記キャップ（１１）に対して着脱可能に構成されていることを特徴とする小型電気機器。
【請求項２】
前記クリップ体（２０）は、板ばね状の延設部（２２ｂ）を有し、
前記クリップ体（２０）を前記キャップ（１１）に固定した状態において、前記延設部（２２ｂ）が該キャップ（１１）の長軸方向の寸法内に収まるように構成されている、請求項１に記載の小型電気機器。
【請求項３】
前記キャップ（１１）は、前記機能部（２）を差し込むための開口部（１４）を有する有底容器状に形成されており、
前記クリップ体（２０）は、該クリップ体（２０）を前記キャップ（１１）に固定するための固定部（２１）と、該固定部（２１）から延びる板ばね状の延設部（２２ｂ）とを有し、
前記固定部（２１）が、前記キャップ（１１）の開口部（１４）を有する開口端と反対側の端部に固定されており、
前記固定部（２１）を前記キャップ（１１）に固定した状態において、前記延設部（２２ｂ）が前記キャップ（１１）の開口端に向かって延びている、請求項１又は２に記載の小型電気機器。
【請求項４】
前記クリップ体（２０）は、該クリップ体（２０）を前記キャップ（１１）に固定するための固定部（２１）と、該固定部（２１）から延びる板ばね状の延設部（２２ｂ）とを有し、
前記固定部（２１）は、前記キャップ（１１）を係合捕捉する二又状のロック腕（２３）で構成されており、
前記キャップ（１１）の周面には、該キャップ（１１）の長軸方向に対して直交する方向から差込装着される前記ロック腕（２３）を受け入れる段部（２４）が周回状に形成されており、
前記ロック腕（２３）と前記段部（２４）との間に、該キャップ（１１）に対する前記クリップ体（２０）の該キャップ（１１）の長軸方向における遊動を防止するための規制構造が設けられている、請求項１乃至３のいずれかに記載の小型電気機器。
【請求項５】
前記クリップ体（２０）は、該クリップ体（２０）を前記キャップ（１１）に固定するための固定部（２１）と、該固定部（２１）から延びる板ばね状の延設部（２２ｂ）とを有し、
前記クリップ体（２０）の固定部（２１）と前記キャップ（１１）との間に、該クリップ体（２０）の該キャップ（１１）に対する回転を防止するための回転規制構造が設けられている、請求項１乃至４のいずれかに記載の小型電気機器。
【請求項６】
前記クリップ体（２０）は、該クリップ体（２０）を前記キャップ（１１）に固定するための固定部（２１）と、該固定部（２１）から延びる板ばね状の延設部（２２ｂ）とを有し、
螺合結合構造により前記固定部（２１）が前記キャップ（１１）に固定されている、請求項１乃至３のいずれかに記載の小型電気機器。
【請求項７】
前記クリップ体（２０）は、該クリップ体（２０）を前記キャップ（１１）に固定するための固定部（２１）と、該固定部（２１）から延びる板ばね状の延設部（２２ｂ）とを有し、
前記固定部（２１）が開口（５７）を有する有底筒状に形成されており、該開口（５７）から前記キャップ（１１）に固定部（２１）を被せ付けることで、前記クリップ体（２０）が該キャップ（１１）に外嵌固定されるようになっている、請求項１乃至３のいずれかに記載の小型電気機器。
【請求項８】
前記クリップ体（２０）を前記キャップ（１１）に固定した状態において、前記機能部（２）が有底筒状の前記固定部（２１）に覆われるようになっている、請求項７に記載の小型電気機器。
【請求項９】
前記固定部（２１）に、該固定部（２１）内の空気を排出するための排出口（５８）を有する空気通路（５９）が形成されている、請求項７又は８に記載の小型電気機器。
【請求項１０】
前記空気通路（５９）が、前記開口（５７）と対峙する前記固定部（２１）の底部（５５）に設けられている、請求項９に記載の小型電気機器。
【請求項１１】
前記空気通路（５９）が、外方向に行くに従って通路寸法が小さくなる外窄まり状に形成されており、
前記空気通路（５９）の頂部にスリット状の排出口（５８）が設けられている、請求項１０に記載の小型電気機器。
【請求項１２】
前記固定部（２１）を形成する筒壁（５６）の内面に、該固定部（２１）に挿入された前記キャップ（１１）を外嵌状に保持するためのリブ（７５）が複数個設けられており、
これらリブ（７５）の間の前記キャップ（１１）を囲む全方位位置に前記空気通路（５９）が設けられている、請求項９に記載の小型電気機器。
【請求項１３】
前記固定部（２１）を形成する筒壁（５６）の外面に、指掛け用の凹部（６２）が形成されている、請求項７乃至１２のいずれかに記載の小型電気機器。
【発明の詳細な説明】
【技術分野】
【０００１】
本発明は、電気かみそり、電動歯ブラシ、手持ち式のマッサージ器などの小型電気機器に関し、小型電気機器を衣服のポケット等に装着するためのクリップの構造の改良に関する。
【背景技術】
【０００２】
本発明に係る小型電気機器は、機能部を有する本体部に対してキャップが着脱可能に構成されているが、同様の構成を備える小型電気機器は、例えば特許文献１に開示されており公知である。特許文献１のキャップは、有底箱状のキャップ本体と、その外面に固定されたクリップ（ホルダー）とを備える。クリップは、その上端部がキャップ本体の一側面に設けられたＬ字状断面の突出部に圧入固定されており、下端部は自由端となっている。電気かみそり本体にキャップを装着した状態においては、クリップの自由端が電気かみそり本体のボディ部を弾性的に押圧するようになっている。
【先行技術文献】
【特許文献】
【０００３】
【特許文献１】特開平１０−１５１２８４号公報
【発明の概要】
【発明が解決しようとする課題】
【０００４】
特許文献１に記載の小型電気機器では、クリップは、キャップに対して着脱不能に固定されている。このため、クリップを使って衣服等のポケットに小型電気機器を取り付けて持ち運ぶ際には便利であるが、小型電気機器をポーチ等に収納する際には、クリップの出っ張りの分だけ小型電気機器の外形寸法が大きくなることが避けられず、クリップが収納の邪魔になるという問題があった。
【０００５】
本発明は、以上のような従来の小型電気機器の抱える問題を解決するためになされたものであり、クリップを使って衣服等のポケットに取り付けて持ち運ぶことが可能であり、しかもポーチ等へ収納する際にクリップが邪魔になることがなく、携帯性と収納性に優れた小型電気機器を提供することを目的とする。
【課題を解決するための手段】
【０００６】
本発明は、機能部２を有する本体部１に対して、該機能部２を保護するためのキャップ１１が着脱可能に構成されている小型電気機器を対象とする。そして、小型電気機器を衣服のポケット等に装着するためのクリップ体２０が、前記キャップ１１に対して着脱可能に構成されていることを特徴とする。
【０００７】
前記クリップ体２０が、板ばね状の延設部２２ｂを有し、前記クリップ体２０を前記キャップ１１に固定した状態において、前記延設部２２ｂが該キャップ１１の長軸方向の寸法内に収まるように構成されている形態を採ることができる。
【０００８】
前記キャップ１１は、前記機能部２を差し込むための開口部１４を有する有底容器状に形成されており、前記クリップ体２０は、該クリップ体２０を前記キャップ１１に固定するための固定部２１と、該固定部２１から延びる板ばね状の延設部２２ｂとを有し、前記固定部２１が、前記キャップ１１の開口部１４を有する開口端と反対側の端部に固定されており、前記固定部２１を前記キャップ１１に固定した状態において、前記延設部２２ｂが前記キャップ１１の開口端に向かって延びている形態を採ることができる。
【０００９】
前記クリップ体２０は、該クリップ体２０を前記キャップ１１に固定するための固定部２１と、該固定部２１から延びる板ばね状の延設部２２ｂとを有し、前記固定部２１は、前記キャップ１１を係合捕捉する二又状のロック腕２３で構成されており、前記キャップ１１の周面には、該キャップ１１の長軸方向に対して直交する方向から差込装着される前記ロック腕２３を受け入れる段部２４が周回状に形成されており、前記ロック腕２３と前記段部２４との間に、該キャップ１１に対する前記クリップ体２０の該キャップ１１の長軸方向における遊動を防止するための規制構造が設けられている形態を採ることができる。
【００１０】
前記クリップ体２０は、該クリップ体２０を前記キャップ１１に固定するための固定部２１と、該固定部２１から延びる板ばね状の延設部２２ｂとを有し、前記クリップ体２０の固定部２１と前記キャップ１１との間に、該クリップ体２０の該キャップ１１に対する回転を防止するための回転規制構造が設けられている形態を採ることができる。
【００１１】
前記クリップ体２０は、該クリップ体２０を前記キャップ１１に固定するための固定部２１と、該固定部２１から延びる板ばね状の延設部２２ｂとを有し、螺合結合構造により前記固定部２１が前記キャップ１１に固定されている形態を採ることができる。
【００１２】
前記クリップ体２０は、該クリップ体２０を前記キャップ１１に固定するための固定部２１と、該固定部２１から延びる板ばね状の延設部２２ｂとを有し、前記固定部２１が開口５７を有する有底筒状に形成されており、該開口５７から前記キャップ１１に固定部２１を被せ付けることで、前記クリップ体２０が該キャップ１１に外嵌固定されるようになっている形態を採ることができる。
【００１３】
前記クリップ体２０を前記キャップ１１に固定した状態において、前記機能部２が有底筒状の前記固定部２１に覆われるような形態を採ることができる。
【００１４】
前記固定部２１に、該固定部２１内の空気を排出するための排出口５８を有する空気通路５９を形成することができる。
【００１５】
前記空気通路５９が、前記開口５７と対峙する前記固定部２１の底部５５に設けられている形態を採ることができる。
【００１６】
前記空気通路５９が、外方向に行くに従って通路寸法が小さくなる外窄まり状に形成されており、前記空気通路５９の頂部にスリット状の排出口５８が設けられている形態を採ることができる。
【００１７】
前記固定部２１を形成する筒壁５６の内面に、該固定部２１に挿入された前記キャップ１１を外嵌状に保持するためのリブ７５が複数個設けられており、これらリブ７５の間の前記キャップ１１を囲む全方位位置に前記空気通路５９が設けられている形態を採ることができる。
【００１８】
前記固定部２１を形成する筒壁５６の外面に、指掛け用の凹部６２が形成されている形態を採ることができる。
【発明の効果】
【００１９】
本発明においては、小型電気機器を衣服のポケット等に装着するためのクリップ体２０を、キャップ１１に対して着脱可能に構成した。これによれば、小型電気機器を衣服のポケット等に入れて持ち運ぶ際には、キャップ１１に対してクリップ体２０を装着することで、小型電気機器をポケット等へ掛止することが可能となる。つまり、キャップ１１に対してクリップ体２０を装着した場合には、クリップ体２０をポケット等に挟み込み、ポケット等に掛止された状態で小型電気機器を持ち運び、携帯することが可能となる。また、小型電気機器をポーチ等に収納する場合には、出っ張るクリップ体２０をキャップ１１から取り外して、換言すればクリップ体２０をキャップ１１から分離することにより、小型電気機器の外形寸法を小さくすることができるので、小型電気機器を嵩張ることなくポーチ等の内部に収容することが可能となる。以上より本願発明によれば、携帯性と収納性に優れた小型電気機器を得ることができる。
【００２０】
また、必要に応じて色や模様の異なる複数種類のクリップ体２０を用意しておくことにより、デザイン上の印象（色調）が異なる複数種の小型電気機器をクリップ体２０を変更するだけで手軽に提供することもできる。
【００２１】
クリップ体２０が、板ばね状の延設部２２ｂを有するものとし、クリップ体２０をキャップ１１に固定した状態において、延設部２２ｂが該キャップ１１の長軸方向の寸法内に収まるように構成することができる。これによれば、キャップ１１により延設部２２ｂを保護することができるので、小型電気機器に落下衝撃等が加わった場合でも延設部２２ｂに力が加わり難く、クリップ体２０がキャップ１１から不用意に分離したり、クリップ体２０が損傷したりすることを効果的に防ぐことができる。
【００２２】
クリップ体２０が、固定部２１と、該固定部２１から延びる板ばね状の延設部２２ｂとを有するものとし、固定部２１が、キャップ１１の開口部１４を有する開口端と反対側の端部に固定されるようになっており、固定部２１をキャップ１１に固定した状態において、延設部２２ｂがキャップ１１の開口端に向かって延びるような構成を採ることができる。これによれば、延設部２２ｂがキャップ１１の長軸方向の寸法内に収まるように構成しながら、該延設部２２ｂの長さ寸法を可及的に大きく採ることができるので、クリップ体２０の損傷を確実に防ぎながら、該クリップ体２０によるポケット等に対する掛止能力の向上を図ることができる。すなわち、携帯時におけるポケット等に対する延設部２２ｂの挟み込み寸法を大きくすることができるので、ポケット等から小型電気機器が不用意に脱落することをより効果的に防ぐことができる。
【００２３】
クリップ体２０をキャップ１１に固定するための固定部２１が、キャップ１１を係合捕捉する二又状のロック腕２３で構成されており、キャップ１１の周面には、該キャップ１１の長軸方向に対して直交する方向から差込装着されるロック腕２３を受け入れる段部２４が周回状に形成された形態を採ることができる。これによれば、キャップ１１の周面に周回状に形成された段部２４に対して、キャップ１１の長軸方向に対して直交する方向からロック腕２３を差し込むだけで、クリップ体２０をキャップ１１に装着固定することができる。また、逆の手順で、装着状態からキャップ１１の長軸方向に対して直交する方向に、ロック腕２３をキャップ１１の段部２４から引き抜くだけで、クリップ体２０をキャップ１１から取り外すことができる。従って、キャップ１１に対するクリップ体２０の脱着作業を簡便に行なうことができ、利便性に優れた小型電気機器を得ることができる。また、ロック腕２３とキャップ１１の段部２４との間に、該キャップ１１に対するクリップ体２０の長軸方向の遊動を防止するための規制構造が設けられていると、不用意にロック腕２３がキャップ１１に対して上下に滑り移動して、キャップ１１からロック腕２３が抜け外れることを防ぐことができる。従って、小型電気機器に落下衝撃等が加わった場合でも、クリップ体２０がキャップ１１から不用意に分離したり、クリップ体２０が損傷したりすることを効果的に防ぐことができる。
【００２４】
クリップ体２０の固定部２１とキャップ１１との間に、該クリップ体２０のキャップ１１に対する回転を防止するための回転規制構造が設けられていると、該回転規制構造により、不用意にクリップ体２０がキャップ１１に対して回転することを防ぐことができる。従って、キャップ１１に対するクリップ体２０の装着姿勢を安定化することができる。
【００２５】
螺合結合構造により固定部２１がキャップ１１に固定されている形態を採ることができる。これによれば、螺合結合構造による結合状態を解除操作をするだけで、キャップ１１に対してクリップ体２０を取り外すことができ、また、螺合結合構造による結合状態を確立するだけで、キャップ１１に対してクリップ体２０を固定することができる。したがって、キャップ１１に対するクリップ体２０の脱着作業を簡便に行なうことができ、利便性に優れた小型電気機器を得ることができる。また、螺合結合構造により、キャップ１１に対してクリップ体２０を強固に固定することができるので、小型電気機器に落下衝撃等が加わった場合でも、クリップ体２０がキャップ１１から不用意に分離したり、クリップ体２０が損傷したりすることを効果的に防ぐことができる。
【００２６】
固定部２１が開口５７を有する有底筒状に形成されており、該開口５７からキャップ１１に固定部２１を被せ付けることで、クリップ体２０がキャップ１１に外嵌固定される形態を採ることができる。これによれば、固定部２１の開口５７からキャップ１１に固定部２１を被せ付け、或いは開口５７からキャップ１１を抜き出すだけで、キャップ１１に対するクリップ体２０の脱着作業を簡便に行なうことができ、利便性に優れた小型電気機器を得ることができる。また、クリップ体２０を低コストに得ることができる利点もある。
【００２７】
クリップ体２０をキャップ１１に固定した状態において、機能部２が固定部２１に覆われるように構成されていると、機能部２をキャップ１１と固定部２１とで二重に覆うことができるので、小型電気機器に落下衝撃等が加わった場合でも、機能部２が損傷することをより確実に防ぐことができる。
【００２８】
固定部２１に、該固定部２１内の空気を排出するための排出口５８を有する空気通路５９が形成されていると、開口５７からキャップ１１に被せ付ける際に、有底容器状の固定部２１内の空気を空気通路５９および排出口５８を介して排出することができる。これにて、装着時に固定部２１の内圧が上昇することを防ぐことができるので、キャップ１１に対する固定部２１の装着動作をより容易に進めることができる。
【００２９】
空気通路５９が、開口５７と対峙する固定部２１の底部５５に設けられていると、より確実に固定部２１内の空気を排出することができるので、固定部２１の内圧の上昇を防いで、キャップ１１に対する固定部２１の装着動作をより容易に進めることができる。
【００３０】
空気通路５９が、外方向に行くに従って通路寸法が小さくなる外窄まり状に形成されており、空気通路５９の頂部にスリット状の排出口５８が設けられている形態を採ることができる。これによれば、キャップ１１に対する固定部２１の装着時に、有底容器状の固定部２１内の空気を空気通路５９および排出口５８を介して排出することができるので、固定部２１の内圧が上昇することを防いで、キャップ１１に対する固定部２１の装着動作をより容易に進めることができる。また、空気通路５９を外方向に行くに従って通路寸法が小さくなる外窄まり状に形成するとともに、排出口５８をスリット状としてあると、固定部２１からのキャップ１１を引き出し操作に伴う、該排出口５８および空気通路５９を介した固定部２１内への空気の流入を抑えることができる。したがって、固定部２１からキャップ１１が不用意に引き出されて、抜け外れることを防ぐことができる。
【００３１】
固定部２１を形成する筒壁５６の内面に、該固定部２１に挿入されたキャップ１１を外嵌状に保持するためのリブ７５が設けられており、これらリブ７５の間のキャップ１１を囲む全方位位置に空気通路５９が設けられている形態を採ることができる。これによれば、空気通路５９を介して固定部２１の開口５７から固定部２１内の空気を排出することができるので、固定部２１の内圧が上昇することを防いで、キャップ１１に対する固定部２１の装着動作をより容易に進めることができる。また、全方位位置に設けられた空気通路５９による衝撃緩和効果も期待できる。
【００３２】
固定部２１を形成する筒壁５６の外面に、指掛け用の凹部６２が形成されていると、キャップ１１に対して固定部２１を着脱する際には、凹部６２に手指を掛けることで、固定部２１をキャップ１１から容易に取り付け、或いは取り外すことができる。また、凹部６２をつまむ際の固定部２１の変形量を大きくすることにより、固定部２１とキャップ１１とを同時に本体部１から取り外すことが可能となる。
【図面の簡単な説明】
【００３３】
【図１】本発明の第１実施例に係る小型電気機器を示す外観図であり、キャップからクリップ体を取り外した状態を示している。
【図２】小型電気機器の外観図であり、クリップ体をキャップに装着した状態を示している。
【図３】小型電気機器の要部の縦断側面図である。
【図４】図３のＡ−Ａ線断面図である。
【図５】本発明の第２実施例に係る小型電気機器のクリップ体のキャップに対する装着構造を説明するための図である。
【図６】クリップ体をキャップに装着した状態を示す、横断平面図である。
【図７】本発明の第３実施例に係る小型電気機器のクリップ体のキャップに対する装着構造を説明するための図である。
【図８】要部の縦断側面図である。
【図９】要部の分解斜視図である。
【図１０】本発明の第４実施例に係る小型電気機器の要部の縦断側面図である。
【図１１】クリップ体のキャップに対する装着構造を説明するための分解斜視図である。
【図１２】本発明の第５実施例に係る小型電気機器の要部の縦断側面図である。
【図１３】クリップ体のキャップに対する装着構造を説明するための分解斜視図である。
【図１４】本発明の第６実施例に係る小型電気機器の要部の縦断側面図である。
【図１５】クリップ体のキャップに対する装着構造を説明するための分解側面図である。
【図１６】本発明の第７実施例に係る小型電気機器の要部の側面図である。
【図１７】クリップ体のキャップに対する装着構造を説明するための分解正面図である。
【図１８】本発明の第８実施例に係る小型電気機器の要部の縦断側面図である。
【図１９】クリップ体のキャップに対する装着構造を説明するための分解斜視図である。
【図２０】スタンドを使って小型電気機器を机上に自立させた状態を示す側面図である。
【図２１】本発明の第９実施例に係る小型電気機器のクリップ体のキャップに対する装着構造を説明するための図である。
【図２２】要部の縦断側面図である。
【図２３】クリップ体の横断平面図である。
【図２４】要部の縦断正面図である。
【図２５】本発明の第１０実施例に係る小型電気機器の要部の縦断側面図である。
【図２６】本発明の第１１実施例に係る小型電気機器の要部の縦断側面図である。
【図２７】本発明の第１２実施例に係る小型電気機器の要部の縦断側面図である。
【図２８】クリップ体の横断平面図である。
【図２９】本発明の第１３実施例に係る小型電気機器のクリップ体のキャップに対する装着構造を説明するための図である。
【図３０】クリップ体の外観斜視図である。
【図３１】クリップ体の横断平面図である。
【図３２】スタンドを利用した小型電気機器の起立姿勢を示す図である。
【図３３】本発明の第１４実施例に係る小型電気機器の要部の縦断側面図である。
【発明を実施するための形態】
【００３４】
（第１実施例）  図１乃至図４に、本発明に係る小型電気機器を、眉毛などを切断するためのフェイスシェーバーに適用した第１実施例を示す。なお、本発明における前後、左右、上下とは、図２、図３および図４に示す交差矢印と、各矢印の近傍に表記した前後、左右、上下の表示に従う。
【００３５】
図１および図２において、フェイスシェーバーは、上下に長いプラスチック製のケース本体（本体部）１を有し、該ケース本体１の上半に作動ヘッド（機能部）２が設けられ、下半にグリップ部３が設けられている。ケース本体１の内部には、作動ヘッド２用の駆動機構とその動力源であるモーター４、該モーター４に電力を供給する電池５などが配置されている。ケース本体１の前面中央には、モーター４への通電をオン・オフするためのスイッチノブ６が設けられており、このスイッチノブ６をスライド操作することで、モーター４を起動させることができる。グリップ部３を構成するケース本体１は、円筒壁を備える有底容器状に形成されている。作動ヘッド２は、グリップ部３よりも小さな外径寸法を有するプラスチック製の上ケース９と、上ケース９に固定される固定刃１０と、駆動機構で往復駆動される図外の可動刃などで構成される。
【００３６】
符号１１は作動ヘッド２を保護するためのキャップであり、キャップ１１はケース本体１に対して着脱可能に装着される。キャップ１１は、上方に向かって膨出するドーム状の頂部１２と、頂部１２の周縁から下方に延びる、径寸法が均一な円筒状の筒壁部１３とで構成されて、下方開口（開口部）１４を有する有底容器状のプラスチック成形品であり、グリップ部３の上方から突出する上ケース９に外嵌装着される。上ケース９には、装着されたキャップ１１を抜け止め保持するための係合構造が設けられている。この係合構造は、上ケース９の下端に形成されたキャップ装着部１５と、キャップ装着部１５の外周面の等角度位置に設けられた計４個の突起１６と、キャップ１１の開口内面壁１７とで構成され、これら突起１６に対してキャップ１１の開口内面壁１７が圧接状に外嵌することで、キャップ１１がケース本体１に対して抜け止め保持されるようになっている。キャップ１１の外径寸法は、グリップ部３を構成するケース本体１の外径寸法と一致している。従って、キャップ１１をケース本体１に装着したとき、後述するクリップ体２０を除いて、フェイスシェーバーの全体は、グリップ部３とキャップ１１との間に段差の無い略円柱状となるように構成されている。
【００３７】
図１および図２等において、符号２０は、フェイスシェーバーを衣服のポケット等に装着するためのクリップ体を示す。クリップ体２０は、キャップ１１の頂部１２に固定するための固定部２１と、固定部２１から下方に延びるクリップ本体２２とを一体に成形してなるプラスチック成形品である。固定部２１は、クリップ体２０をキャップ１１の外周面に係合捕捉するための前後一対の抱持片２３ａ・２３ａを有する二又状のロック腕２３で構成されている。クリップ本体２２は、固定部２１に連設された厚肉の基端部２２ａと、基端部２２ａから下方に延びる薄肉の板ばね状の引掛部（延設部）２２ｂと、引掛部２２ｂの遊端部に設けられ、キャップ１１側に突設された突起部２２ｃとで構成される。基端部２２ａのキャップ１１側の内面は、キャップ１１の筒壁部１３の外面に沿う、円弧状に形成されている。
【００３８】
クリップ体２０の固定部２１とキャップ１１の頂部１２との間には、クリップ体２０をキャップ１１に着脱可能に装着するためのクリップ着脱構造が形成されている。このクリップ着脱構造は、固定部２１のロック腕２３を構成する先の抱持片２３ａ・２３ａと、頂部１２の外周面に凹み形成されて両抱持片２３ａ・２３ａを受け入れる装着溝（段部）２４とで構成される。図４に示すように、装着溝２４は、左側部を除いて頂部１２の外周面に上方視でＣ字状に形成されている。より具体的には、装着溝２４の内周面は、Ｃ字状の湾曲周面２４ａと、Ｃ字の端部（左端部）に形成されて左右方向に真っ直ぐに走るストレート面２４ｂとで構成されている。両抱持片２３ａ・２３ａの内周面で規定されるロック腕２３の内径寸法は、湾曲周面２４ａの外径寸法と略一致している。
【００３９】
以上のような装着構造を採ることにより、本実施例に係るフェイスシェーバーによれば、必要に応じてクリップ体２０を回転不能にキャップ１１に装着することができ、また、必要に応じてクリップ体２０をキャップ１１から取り外すことができる。すなわち、抱持片２３ａ・２３ａの先端部（遊端部）を装着溝２４の湾曲周面２４ａにあてがった状態で、抱持片２３ａ・２３ａをキャップ１１に向かって押付けることにより、両抱持片２３ａ・２３ａを拡開状に弾性変形させて、装着溝２４の湾曲周面２４ａに両抱持片２３ａ・２３ａを外嵌装着させて、クリップ体２０をキャップ１１に装着することができる。また、かかる装着状態においては、両抱持片２３ａ・２３ａは弾性変形状態から原形状態に復帰しており、両抱持片２３ａの先端部がストレート面２４ｂに当接することで、キャップ１１に対してクリップ体２０が不用意に回転することが規制される。すなわち、ストレート面２４ｂは、装着状態におけるクリップ体２０のキャップ１１に対する不用意な回転を防止するための回転規制構造として機能する。さらに、かかる装着状態において、湾曲周面２４ａの上下壁面で、両抱持片２３ａ・２３ａが受け止められることにより、キャップ１１に対してクリップ体２０が上下方向に不用意に移動することが規制される。
【００４０】
また、かかる装着状態からクリップ体２０を取り外す際には、キャップ１１から離れる方向（図３および図４における右方向）にクリップ体２０を引っ張る。これにより、両抱持片２３ａ・２３ａを原形状態から拡開状に弾性変形させて、両抱持片２３ａ・２３ａを装着溝２４から離脱させることができる。以上より、装着時と逆の手順を採るだけで、簡単且つ確実にクリップ体２０をキャップ１１から取り外すことができる。
【００４１】
以上のように、本実施例によれば、フェイスシェーバーを衣服のポケット等に装着するためのクリップ体２０を、キャップ１１に対して着脱可能に構成したので、フェイスシェーバーを衣服のポケット等に入れて持ち運ぶ際には、キャップ１１に対してクリップ体２０を装着して、クリップ体２０を使ってフェイスシェーバーをポケット等へ掛止することが可能となる。つまり、キャップ１１に対してクリップ体２０を装着した場合には、クリップ体２０の引掛部２２ｂをポケット等に挟み込み、ポケット等に掛止された状態でフェイスシェーバーを持ち運び、携帯することが可能となる。また、フェイスシェーバーをポーチ等に収納する場合には、出っ張るクリップ体２０を取り外して、クリップ体２０をキャップ１１から分離することにより、フェイスシェーバーの外形寸法を小さくすることができる。したがって、フェイスシェーバーを嵩張ることなくポーチ等の内部に収容することが可能となる。以上より本実施例によれば、フェイスシェーバーに優れた携帯性と収納性とを付与することができる。
【００４２】
また、図２に示すように、クリップ着脱構造を利用してクリップ体２０をキャップ１１に装着した状態において、クリップ本体２２の上下方向の長さ寸法は、キャップ１１の上下方向の長さ寸法（キャップ１１の長軸方向の長さ寸法）内に収まるように構成されている。これによれば、キャップ１１によりクリップ体２０の全体を保護することができるので、フェイスシェーバーに落下衝撃等が加わった場合でもクリップ本体２２に力が加わり難く、クリップ体２０がキャップ１１から不用意に分離したり、クリップ体２０が損傷したりすることを効果的に防ぐことができる。
【００４３】
また、本実施例によれば、下方開口１４の反対側に位置するキャップ１１の頂部１２に、クリップ着脱構造を構成する装着溝２４を形成したので、キャップ１１の上下方向の長さ寸法（キャップ１１の長軸方向の長さ寸法）内に収まるクリップ体２０の上下方向の長さを可及的に大きく採ることができる。従って、上記のようにクリップ体２０の損傷を効果的に確実に防ぎながら、クリップ体２０によるポケット等に対する掛止能力の向上を図ることができる。すなわち、携帯時におけるポケット等に対するクリップ体２０の挟み込み寸法を大きくすることができるので、ポケット等からフェイスシェーバーが脱落することをより効果的に防ぐことができる。
【００４４】
（第２実施例）  図５および図６に、本発明の第２実施例を示す。この第２実施例では、クリップ体２０の固定部２１とキャップ１１の頂部１２との間に設けられた、クリップ体２０をキャップ１１に着脱可能に装着するためのクリップ着脱構造の形態が、先の第１実施例と相違する。具体的には、クリップ着脱構造を、キャップ１１側に設けられた係合リブ（段部）２６と、クリップ体２０に設けられた係合溝２７とで構成している。
【００４５】
より具体的には、キャップ１１の頂部１２の外周面には、クリップ体２０の装着面側（右端側）を除いて、略全周にわたって係合リブ２６が突出状に一体形成されている。また、クリップ体２０のロック腕２３を構成する両抱持片２３ａ・２３ａの係合リブ２６に対する対向面（内面）のそれぞれには、係合溝２７が凹み形成されている。各係合溝２７は、各抱持片２３ａの先端から基端部２２ａに至って形成されている。
【００４６】
以上のようなクリップ着脱構造においては、先の第１実施例と同様の手順でキャップ１１に対してクリップ体２０を装着することができる。すなわち、抱持片２３ａ・２３ａの先端部（遊端部）を、係合リブ２６にあてがった状態で、抱持片２３ａ・２３ａをキャップ１１に向かって押付けることにより、両抱持片２３ａ・２３ａを拡開状に弾性変形させて、係合リブ２６に両抱持片２３ａ・２３ａの係合溝２７を外嵌装着させて、クリップ体２０をキャップ１１に装着することができる。また、かかる装着状態においては、両抱持片２３ａ・２３ａは弾性変形状態から原形状態に復帰しており、係合溝２７の基端部２２ａ側の溝縁面２７ａが、係合リブ２６のリブ端面２６ａに当接することで、キャップ１１に対してクリップ体２０が不用意に回転することが規制される。すなわち、これら溝縁面２７ａとリブ端面２６ａとは、装着状態におけるクリップ体２０のキャップ１１に対する不用意な回転を防止するための回転規制構造として機能する。さらに、かかる装着状態において、係合リブ２６の上下面で、係合溝２７の上下縁面が受け止められることにより、キャップ１１に対してクリップ体２０が上下方向に不用意に移動することが規制される。
【００４７】
上記以外の点は、先の第１実施例と同様であるので、同一の部材には同一の符号を付して、その説明を省略する。以下の実施例においても同様とする。
【００４８】
第１および第２実施例では、キャップ１１は、頂部１２と筒壁部１３とで構成される有底容器状のプラスチック成形品としたが、筒壁部１３をアルミニウム等の金属管で構成し、その上端開口にプラスチック製の頂部１２を嵌め込み固定して構成してもよい。
【００４９】
（第３実施例）  図７乃至図９に、本発明の第３実施例を示す。この第３実施例においては、クリップ体２０をキャップ１１に着脱可能に装着するためのクリップ着脱構造を、螺合結合構造とした点が、先の第１実施例と相違する。
【００５０】
図７、図８および図９に示すように、螺合係合構造は、キャップ１１の頂部１２の下面から下方に向けて突出する雄ネジ３０と、筒壁部１３の上端に固定された筒端壁３２に形成された雌ネジ３１とで構成される。ここでの雄ネジ３０は、頂部１２にネジ３３をインサート成形することで形成される。すなわち、頂部１２内にネジ頭部３４が位置するとともに、頂部１２の下面からネジ本体３５が突出する状態で、ネジ３３を頂部１２内にインサート成形している。雌ネジ３１は、筒端壁３２の盤面中央に形成された通孔３６の内周面に刻設されている。クリップ体２０の固定部２１は、キャップ１１の筒端壁の外形形状と一致する円板状を呈しており、その盤面中央には、雄ネジ３０の挿入を許す装着孔３７が貫設されている。
【００５１】
キャップ１１とクリップ体２０との間には、装着状態におけるクリップ体２０の不用意な回転を防止するための回転規制構造が設けられている。この回転規制構造は、固定部２１の下面に設けられた係合突起３８と、筒端壁３２の上面に陥没状に形成されて、係合突起３８を受け入れる係合凹部３９とで構成される。
【００５２】
キャップ１１にクリップ体２０を装着する際には、雄ネジ３０と雌ネジ３１との間の螺合状態を解除して、筒端壁３２から頂部１２を取り外したうえで、係合突起３８と係合凹部３９とを利用して筒端壁３２の上面にクリップ体２０の固定部２１を位置合わせして載置する。次に、装着孔３７を介して通孔３６にネジ本体３５を差込み、ネジ本体３５の雄ネジ３０を筒端壁３２の通孔３６の雌ネジ３１に螺合させる。これにて、頂部１２と筒端壁３２との間に固定部２１を挟み込んで、キャップ１１に対してクリップ体２０を装着固定することができる。また、通孔３６の雌ネジ３１と、ネジ本体３５の雄ネジ３０との螺合状態を解除して、頂部１２を筒端壁３２から分離するだけで、キャップ１１からクリップ体２０を取り外すことができる。また、クリップ体２０を取り外した状態で、再び頂部１２を筒端壁３２に螺合結合させることにより、筒端壁３２の通孔３６および雌ネジ３１を頂部１２で覆って、キャップ１１の外観体裁を整えることができる。
【００５３】
（第４実施例）  図１０および図１１に本発明の第４実施例を示す。この第４実施例においては、頂部１２に設けられたネジ３３と鍔付ナット４０とで、螺合結合構造を構成した点が先の第３実施例と相違する。本実施例における筒端壁３２は、筒壁部１３と一体に形成されており、筒端壁３２の盤面中央には、ネジ本体３５の挿通を許す通孔３６と、係合突起３８の挿入を許す係合孔４１とが開設されている。これら通孔３６と係合孔４１とは、両者が連設された状態で筒端壁３２に開設されている。
【００５４】
図１０および図１１に示すように、鍔付ナット４０は、金属性のフランジ４２の下面に、雌ネジ３１を有するナット４３を溶接固定してなる。ナット４３の内面には、雌ネジ３１が刻設されている。フランジ４２の直径寸法は、筒壁部１３の内径寸法よりも僅かに大きく設定されており、鍔付ナット４０をキャップ１１内に嵌め込んだ状態において、フランジ４２は上方に向かった膨出するドーム状に撓み変形して、その外周面が筒壁部１３の内面に当接することで突っ張り作用を発揮している。かかるフランジ４２の筒壁部１３の内面に対する突っ張り作用により、鍔付ナット４０がキャップ１１内で遊動したり、下方へ脱落したりすることを規制している。ネジ３３のナット４３に対する螺合操作時において、ナット４３が下方に移動することも規制している。
【００５５】
キャップ１１にクリップ体２０を装着する際には、頂部１２側の雄ネジ３０と鍔付ナット４０側の雌ネジ３１との間の螺合状態を解除して、筒端壁３２から頂部１２を取り外したうえで、係合突起３８と係合孔４１とを利用して筒端壁３２の上面にクリップ体２０の固定部２１を位置合わせして載置する。次に、装着孔３７および通孔３６を介してネジ本体３５をキャップ１１内に差込み、ネジ本体３５の雄ネジ３０をナット４３の雌ネジ３１に螺合させる。これにて、頂部１２と筒端壁３２との間に固定部２１を挟み込んで、キャップ１１に対してクリップ体２０を装着固定することができる。また、ナット４３の雌ネジ３１と、ネジ本体３５の雄ネジ３０との螺合状態を解除して、頂部１２を鍔付ナット４０から分離するだけで、キャップ１１からクリップ体２０を取り外すことができる。また、クリップ体２０を取り外した状態で、再び頂部１２を鍔付ナット４０側の雌ネジ３１に螺合結合させることにより、筒端壁３２の通孔３６を頂部１２で覆って、キャップ１１の外観体裁を整えることができる。
【００５６】
（第５実施例）  図１２および図１３に本発明の第５実施例を示す。この第５実施例においては、筒端壁３２と筒壁部１３とを金属成形品とした点、および筒端壁の通孔３６にバーリング加工により形成された下向きバーリング４５の内周面に雌ネジ３１を形成した点が、先の第３実施例と相違する。
【００５７】
（第６実施例）  図１４および図１５に本発明の第６実施例を示す。この第６実施例においては、ネジ３３を備える第１の頂部１２ａと、ネジ３３とクリップ体２０とを備える第２の頂部１２ｂの二種類の頂部１２を用意し、両頂部１２ａ・１２ｂを筒端壁３２に対して付け替えることにより、クリップ体２０をキャップ１１に対して着脱できるようにした点が、先の第５実施例と相違する。すなわち、キャップ１１にクリップ体２０を装着する際には、クリップ体２０を備える第２の頂部１２ｂを、ネジ３３の雄ネジ３０と下向きバーリング４５の雌ネジ３１を利用して、筒端壁３２に螺合装着すればよい。キャップ１１からクリップ体２０を取り外す際には、先と逆の手順で第２の頂部１２ｂを筒端壁３２から取り外すとともに、筒端壁３２に第１の頂部１２ａを螺合装着すればよい。
【００５８】
（第７実施例）  図１６および図１７に本発明の第７実施例を示す。この第７実施例においては、クリップ着脱構造を、係合構造とした点が先の第６実施例と相違する。かかる係合構造は、頂部１２から下方に延びる左右２本の係合脚４７・４７と、これら係合脚４７・４７に対応して筒壁部１３に設けられて、各係合脚４７の下端に形成された係合爪４７ａを受け入れる、二つの係合穴４８・４８とで構成される。
【００５９】
本実施例においても、係合脚４７・４７のみを有する第１の頂部１２ａと、係合脚４７・４７とクリップ体２０とを有する第２の頂部１２ｂとが用意されており、両頂部１２ａ・１２ｂを筒壁部１３に対して付け替えることにより、クリップ体２０をキャップ１１に対して着脱できる。すなわち、キャップ１１にクリップ体２０を装着する際には、クリップ体２０を備える第２の頂部１２ｂを、係合脚４７・４７と係合穴４８・４８を利用して、筒壁部１３に係合装着すればよい。キャップ１１からクリップ体２０を取り外す際には、先と逆の手順で第２の頂部１２ｂを筒壁部１３から取り外すとともに、筒壁部１３に第１の頂部１２ａを係合装着すればよい。
【００６０】
（第８実施例）  図１８乃至図２０に本発明の第８実施例を示す。この第８実施例においては、クリップ体２０に、フェイスシェーバーを自立させるためのスタンド機能を付与した点が先の第３実施例と相違する。スタンド機能を発揮するスタンド５０は、クリップ体２０の固定部２１の周方向の等間隔位置に水平方向に張り出し形成された３本のベース腕５１と、各ベース腕５１の先端から、上下方向に連設された計３本のスタンド本体５２とからなる。各スタンド本体５２は、上下方向に行くに従って外方向に拡開する湾曲壁であり、図２０に示すように、これら３本のスタンド本体５２の先端部が机面に接することで、フェイスシェーバーを机上に自立させることができる。このように、クリップ体２０にスタンド機能を付与していると、不使用時において、洗面台や鏡台上にフェイスシェーバーを自立姿勢で保管することができる。なお、キャップ１１とともにクリップ体２０はケース本体１から取り外されるため、フェイスシェーバーの使用時にスタンド５０が邪魔になることもない。
【００６１】
（第９実施例）  図２１乃至図２４に本発明の第９実施例を示す。この第９実施例においては、クリップ着脱構造を、外嵌固定構造とした点が先の第１実施例と相違する。具体的には、クリップ体２０をキャップ１１に固定するための固定部２１が、上方側の筒端壁（底部）５５と、筒端壁５５の外縁から下方に連設された筒壁５６とで構成されて、下方開口（開口）５７を有する有底筒状のプラスチック成形品として形成されている。固定部２１を含むクリップ体２０の全体は、シリコンゴム等の可撓性を有する素材で構成することが好ましい。以上のような構成からなる固定部２１によれば、下方開口５７からキャップ１１を固定部２１内に差し込み、キャップ１１に固定部２１を被せ付けることで、クリップ体２０の筒壁５６の内面をキャップ１１の外面に外嵌係合させて、クリップ体２０をキャップ１１に装着することができる。また、かかる装着状態から、逆の手順で、クリップ体２０を上方に引き上げて、換言すればキャップ１１をクリップ体２０の固定部２１から引き抜くことで、先の外嵌係合状態を解除して、クリップ体２０をキャップ１１から分離することができる。
【００６２】
このように固定部２１を有底筒状として、クリップ着脱構造を外嵌固定構造とした場合には、キャップ１１に対してクリップ体２０を装着させる際の固定部２１の内圧上昇が問題となる。すなわち、装着動作時に固定部２１の内部空気が脱気されないと、固定部２１の内圧が上昇して、キャップ１１の固定部２１内へのスムーズな差込作業を阻害するおそれがある。かかる問題を解消するため、本実施例においては、固定部２１の筒端壁５５に空気排出用の排出口５８を有する空気通路５９を形成している。すなわち、下方開口５７と対峙する筒端壁５５に排出口５８を有する空気通路５９を形成している。
【００６３】
図２４に示すように、空気通路５９は、外方（上方）に行くに従って通路寸法が小さくなる外窄まり状に形成されており、この空気通路５９の頂部に排出口５８が形成されている。本実施例に係る排出口５８は、筒端壁５５に前後方向に長いスリット状の切込みであり、常態においては、排出口５８の開口を区画する筒端壁５５の前後の遊端部６０・６０が互いに接当することで、排出口５８は封止されている。そして、キャップ１１の固定部２１内への差し込み作業（固定部２１のキャップ１１への被せ付け作業）に伴って、固定部２１内の内圧が上昇すると、排出口５８の開口縁を区画する筒端壁５５の遊端部６０・６０が、上方に向かって僅かに撓み変形することで排出口５８が開かれ、これにより、固定部２１内の空気が排出されるようになっている。なお、符号６１は、空気通路５９の下方の筒端壁５５の内面に凹み形成されて、キャップ１１の頂部１２が筒端壁５５の内面に密着することを防ぐための微小凹部を示す。
【００６４】
クリップ本体２２の引掛部２２ｂは、筒壁部１３よりも曲率の大きい外突状の湾曲壁で形成されている。これにより、引掛部２２ｂの弾性復元力を大きくして、突起部２２ｃがキャップ１１の外面に弾性的に押圧する付勢力を大きくすることができ、クリップ体２０の全体を、シリコンゴム等の可撓性を有する素材で構成した場合であっても、ポケット等へ掛止することが可能となる。
【００６５】
以上のように、クリップ体２０の筒端壁５５に排出口５８が設けられていると、装着動作時に固定部２１の内部空気を脱気させることができるので、固定部２１の内圧が上昇することに起因して、キャップ１１の固定部２１内へのスムーズな差込作業が阻害される問題を解消できる。つまり、固定部２１の内圧上昇を防いで、固定部２１に対するキャップ１１の差込装着動作をよりスムーズに進めることが可能となる。加えて、排出口５８をスリット状としてあると、固定部２１からのキャップ１１を引き出し操作に伴う、該排出口５８および空気通路５９を介した固定部２１内への空気の流入量を抑えることができる。したがって、固定部２１からキャップ１１が不用意に引き出されて抜け外れること、換言すれば、キャップ１１からクリップ体２０が不用意に抜け外れることを防ぐことができる。
【００６６】
固定部２１の筒壁５６には、指掛け部が形成されている。この指掛け部は、筒壁５６の下方の対向外面に凹み形成された薄肉で上下縦長の指掛け用の凹部６２・６２と、各凹部６２・６２の外面に突設された３本の左右横長の滑り止め用のリブ６３とで構成される。このように筒壁５６の対向外面に指掛け用の凹部６２と滑り止め用のリブ６３とが形成されていると、リブ６３を利用して凹部６２のそれぞれに手指を引っ掛けることができるので、着脱操作時にクリップ体２０の外面において手指が滑ることを効果的に防ぐことができる。従って、より簡単且つ確実に、キャップ１１に対するクリップ体２０の着脱操作を進めることができる。加えて、このように筒壁５６の対向外面に指掛け用の凹部６２が形成されていると、薄肉の両凹部６２・６２を両側から挟んで筒壁５６を僅かに撓み変形させることにより、固定部２１の内面とキャップ１１の外面との係合状態を維持することができる。従って、固定部２１のみならず、固定部２１とキャップ１１とを同時に操作することが可能となり、図２２に示すように、クリップ体２０とキャップ１１とを同時にケース本体１から取り外すことが可能となる。
【００６７】
また、本実施例によれば、クリップ体２０をキャップ１１に固定した状態において、作動ヘッド２をキャップ１１のみならず、固定部２１により、二重に覆うことができる。従って、小型電気機器に落下衝撃等が加わった場合でも、機能部２が損傷することをより確実に防ぐことができる。
【００６８】
（第１０実施例）  図２５に本発明の第１０実施例を示す。この第１０実施例では、筒端壁５５に設けた開口６５に、ダックビル弁６６を固定して、これを排出機構としている点が、先の第９実施例と相違する。このダックビル弁６６は、シリコーン樹脂などの弾性樹脂を素材とする一体成形品であり、円環状の弁基６７と、弁基６７に連設された上窄まりテーパー筒状の弁本体６８とを備え、弁本体６８の上端に排出口５８を備えている。そして、キャップ１１の固定部２１内への差し込み作業（固定部２１のキャップ１１への被せ付け作業）に伴って、固定部２１内の内圧が上昇すると、排出口５８が開かれ、これにより、固定部２１内の空気が排出されるようになっている。
【００６９】
（第１１実施例）  図２６に本発明の第１１実施例を示す。この第１１実施例では、クリップ体２０の内部に、金属製のバネ板７０をインサート成形により埋設した点が、先の第９実施例と相違する。バネ板７０は、クリップ体２０の基端部２２ａの内部に位置するベース部７０ａと、ベース部７０ａよりも外側に配置されて引掛部２２ｂの内部に位置するバネ本体７０ｂとを備える段付き状に形成されている。このように、バネ板７０がクリップ体２０の内部に埋設されていると、突起部２２ｃがキャップ１１の外面に弾性的に押圧する付勢力を大きくすることができる。
【００７０】
（第１２実施例）  図２７および図２８に本発明の第１２実施例を示す。この第１２実施例では、クリップ体２０の固定部２１を形成する筒壁５６の内面の全方位位置に、固定部２１に挿入されたキャップ１１を外嵌状に保持するためのリブ７５が形成されている点、およびこれらリブ７５の間に空気通路５９が設けられている点が先の第９実施例と相違する。本実施例では、筒壁５６の内面の周方向の等間隔位置に計５個のリブ７５を設けるとともに、これらリブ７５の間のキャップ１１を囲む全方位位置に計５個の空気通路５９を設けている。これによれば、空気通路５９を介して下方開口５７から固定部２１内の空気を容易に排出することができるので、クリップ体２０のキャップ１１への装着動作時に固定部２１の内圧が上昇することを確実に防ぐことができる。従って、固定部２１内に対してキャップ１１をスムーズに差込むことができる。加えて、全方位位置に設けられた空気通路５９による衝撃緩和効果も期待できる。
【００７１】
（第１３実施例）  図２９乃至図３２に本発明の第１３実施例を示す。この第１３実施例では、クリップ体２０の筒壁５６の一部に引掛部２２ｂを形成した点、クリップ体２０にフェイスシェーバーを自立させるためのスタンド５０を設けた点、およびケース本体１の作動ヘッド２の反対側の端部（下端部）に、キャップ１１を装着するためのキャップ装着部８３を形成した点などが、先の第９実施例と相違する。
【００７２】
図３０および図３１に示すように、本実施例における引掛部２２ｂは、クリップ体２０の筒壁５６に所定間隔をおいて上下方向に走るように形成された一対のスリット８０・８０で区画され、上端部が筒壁５６に連結された、片持ち状の弾性腕８１として構成されている。そして、図３０に示すように、弾性腕８１の遊端を筒壁５６に対して外方向に撓み変形させて、該弾性腕８１をポケット等に挟み込むことで、クリップ体２０を利用してフェイスシェーバーを持ち運ぶことができるようになっている。
【００７３】
スタンド５０は、クリップ体２０の筒端壁５５から上方向に向かって突設された３本のスタンド本体５２で構成される。これらスタンド本体５２は、周方向の等間隔位置に設けられている。
【００７４】
図２９および図３２に示すように、ケース本体１の上下両端部には、キャップ１１を装着するための装着部（キャップ装着部１５・８３）が形成されている。すなわち、本実施例では、ケース本体１の上方のみならず、ケース本体１の下方にも、キャップ１１を装着するためのキャップ装着部１５・８３が形成されている。下方側のキャップ装着部８３は、グリップ部３よりも外径寸法が小さく形成された小径部であり、かかる小径部に対してキャップ１１を被せ付けることにより、ケース本体１の下端にキャップ１１およびクリップ体２０を装着することができる。
【００７５】
以上のように、ケース本体１の上下両端部にキャップ１１を装着可能に構成するとともに、該キャップ１１に装着されるクリップ体２０にスタンド５０が設けられていると、図３２に示すように、作動ヘッド２が露出した状態で、フェイスシェーバーを起立姿勢で机上に載置することが可能となる。つまり、フェイスシェーバーの使用中において、これを起立姿勢に机上に載置することが可能となる。従って、フェイスシェーバーの使い勝手の向上を図ることができる。
【００７６】
（第１４実施例）  図３３に本発明の第１４実施例を示す。この第１４実施例では、クリップ体２０のスタンド５０を、筒端壁５５の外周面から上方に向かって突出形成された、上拡がりテーパー状の筒体８４で構成される有底容器形（おわん形）とした点が、先の第１３実施例と相違する。また、本実施例においては、スタンド５０を構成する筒体を、可撓性を有するゴムなどの素材で構成して、スタンド５０に机上面に吸着する吸盤機能を付与している。以上のような構成としてあると、クリップ体２０の吸盤機能により、不用意に起立姿勢にあるフェイスシェーバーが倒れることを効果的に防ぐことができる。フェイスシェーバーの起立姿勢をより安定的に維持できる。
【符号の説明】
【００７７】
１  本体部（ケース本体）
２  機能部（作動ヘッド）
１１  キャップ
１４  開口部（下方開口）
２０  クリップ体
２１  固定部
２２ｂ  引掛部（延設部）
２３  ロック腕
２４  段部（装着溝）
２６  係合リブ（段部）
５５  底部（筒端壁）
５６  筒壁
５７  開口（下方開口）
５８  排出口
５９  空気通路
６２  凹部
【図１】
2015047338.tif 000003
【図２】
2015047338.tif 000004
【図３】
2015047338.tif 000005
【図４】
2015047338.tif 000006
【図５】
2015047338.tif 000007
【図６】
2015047338.tif 000008
【図７】
2015047338.tif 000009
【図８】
2015047338.tif 000010
【図９】
2015047338.tif 000011
【図１０】
2015047338.tif 000012
【図１１】
2015047338.tif 000013
【図１２】
2015047338.tif 000014
【図１３】
2015047338.tif 000015
【図１４】
2015047338.tif 000016
【図１５】
2015047338.tif 000017
【図１６】
2015047338.tif 000018
【図１７】
2015047338.tif 000019
【図１８】
2015047338.tif 000020
【図１９】
2015047338.tif 000021
【図２０】
2015047338.tif 000022
【図２１】
2015047338.tif 000023
【図２２】
2015047338.tif 000024
【図２３】
2015047338.tif 000025
【図２４】
2015047338.tif 000026
【図２５】
2015047338.tif 000027
【図２６】
2015047338.tif 000028
【図２７】
2015047338.tif 000029
【図２８】
2015047338.tif 000030
【図２９】
2015047338.tif 000031
【図３０】
2015047338.tif 000032
【図３１】
2015047338.tif 000033
【図３２】
2015047338.tif 000034
【図３３】
2015047338.tif 000035